(57)【要約】【課題】紛失時に容易に探し出すことが出来る携帯電話機を提供する。【解決手段】本発明に係る携帯電話機は、自機位置を検知するためのＧＰＳ受信器１５と、周囲温度を測定するための温度センサー１４とを具え、制御回路８は、温度センサー１４よる測定温度が設定温度よりも低下したとき、この事態の発生を音響によって報知し、該音響の発生に応じて所定のキー操作が行なわれた場合を除き、ＧＰＳ受信器１５の測位機能を動作させて自機位置を表わす座標データを所定の外部機器へ送信する。【選択図】　　　図２
2004032490.tif 000002
【特許請求の範囲】
【請求項１】
自機位置を検知するための測位機能を有する携帯電話機において、
周囲温度を測定するための温度センサーと、
前記温度センサーよる測定温度が所定時間以上に亘って所定の温度を下回ったとき、或いは所定の温度差を超えて低下したとき、この事態の発生を音響によって報知する報知手段と、
前記音響の発生に応じて所定のキー操作が行なわれた場合を除き、測位機能を動作させて自機位置を表わす座標データを所定の外部機器へ送信する自機位置送信手段
とを具えていることを特徴とする携帯電話機。
【請求項２】
更に、前記所定のキー操作が行なわれた場合を除き、着信を音響によって報知する機能を強制的に有効とする音響オン手段を具えている請求項１に記載の携帯電話機。
【請求項３】
更に、前記所定のキー操作が行なわれた場合を除き、着信を機械的な振動によって報知する機能を強制的に無効とする振動オフ手段を具えている請求項１又は請求項２に記載の携帯電話機。
【発明の詳細な説明】
【０００１】
【発明の属する技術分野】
本発明は、ＧＰＳ（Ｇｌｏｂａｌ　Ｐｏｓｉｔｉｏｎｉｎｇ　Ｓｙｓｔｅｍ）の如き測位機能を有する携帯電話機に関するものである。
【０００２】
【従来の技術】
近年、携帯電話機においては、カーナビゲーションシステムで実用化されているＧＰＳ受信器を搭載することによって、現在位置を知ることが出来るものが開発されている。
【０００３】
【発明が解決しようとする課題】
ところで、近年の携帯電話機は飛躍的に小型化、軽量化が進んでおり、これに伴って、衣服のポケット等に収容して携帯することが多くなっている。従って、携帯電話機を屋外で紛失する可能性も高まっている。
しかしながら、携帯電話機を紛失した場合において、その紛失地点からユーザが遠く離れてしまうと、その携帯電話機を探し出すことは極めて困難となる。
そこで本発明の目的は、紛失した場合にも容易に探し出すことが出来る携帯電話機を提供することである。
【０００４】
【課題を解決する為の手段】
本発明は、従来より携帯電話機に搭載されているＧＰＳ受信器等の測位機能を利用することによって、上記目的を達成するものである。
本発明に係る携帯電話機は、
周囲温度を測定するための温度センサーと、
前記温度センサーよる測定温度が所定時間以上に亘って所定の温度を下回ったとき、或いは所定の温度差を超えて低下したとき、この事態の発生を音響によって報知する報知手段と、
前記音響の発生に応じて所定のキー操作が行なわれた場合を除き、測位機能を動作させて自機位置を表わす座標データを所定の外部機器へ送信する自機位置送信手段
とを具えている。
【０００５】
上記本発明の携帯電話機においては、屋外での紛失によって、通常は温度センサーによる測定温度が低下し、この状態で放置されるので、測定温度は、所定時間以上に亘って所定の温度を下回り、或いは所定の温度差を超えて低下することになる。この様な事態が発生したとき、報知手段は、この事態の発生を音響によって報知する。但し、紛失したのではなくて意図的に屋外に放置した場合にも、同じ事態が発生して、音響による報知が行なわれる。
【０００６】
紛失ではない場合、音響の発生に応じて、ユーザは所定のキー操作を行なう。これによって、後述する紛失時の動作は中止される。
紛失の場合は、ユーザが所定のキー操作を行なうことは出来ないので、キー操作による応答がないことによって紛失と判定され、この結果、測位機能が動作して、自機位置を表わす座標データが、電子メールとして所定の外部機器、例えば自宅のパーソナルコンピュータや知人の携帯電話機へ送信される。
従って、携帯電話機を紛失したユーザは、その座標データの表示に基づいて、携帯電話機の紛失地点にたどり着くことが出来る。
【０００７】
具体的には、更に、前記所定のキー操作が行なわれた場合を除き、着信を音響によって報知する機能を強制的に有効とする音響オン手段を具えている。
該具体的構成によれば、紛失時に携帯電話機の音響による着信報知機能が無効となっていたとしても、該機能は有効化されることになる。従って、前記座標データの表示に従って携帯電話機の紛失地点の近くまで到達した後、他の電話機から紛失した携帯電話機に電話をかけることによって、着信音を発生させることが出来、これによって容易に携帯電話機を発見することが出来る。
【０００８】
又、具体的には、更に、前記所定のキー操作が行なわれた場合を除き、着信を機械的な振動によって報知する機能を強制的に無効とする振動オフ手段を具えている。
従って、紛失中に他の電話機から電話がかかってきたときに振動による報知機能が動作することはなく、これによって電力の浪費を抑制することが出来る。この結果、携帯電話機を紛失したユーザが近くからその携帯電話機に電話をかけたときに、電力不足で着信音を発生させることが出来なくなる事態を回避することが出来る。
【０００９】
【発明の効果】
本発明によれば、携帯電話機に搭載されている測位機能を利用することによって、紛失した携帯電話機を容易に探し出すことが出来る。
【００１０】
【発明の実施の形態】
以下、本発明の実施の形態につき、図面に沿って具体的に説明する。
本発明に係る携帯電話機は、図１に示す如く、複数の操作キー（１２）が配設された本体（１）の上端部に、ヒンジ機構（３）を介して、ディスプレイ（２１）が配備された蓋体（２）の下端部を連結して構成され、本体（１）に対して蓋体（２）を開閉することが可能である。本体（１）と蓋体（２）の連結部には、蓋体（２）の開／閉状態を検知する開閉検知器（４）が取り付けられている。
【００１１】
本体（１）の上端部には、アンテナ（１１）が突設されている。又、本体（１）の下端部にはマイクロフォン（９）が配備される一方、蓋体（２）の上端部にはスピーカ（１０）が配備され、蓋体（２）を開いた状態で通話が可能となる。
更に本発明に係る携帯電話機には、周囲温度を測定するための温度センサー（１４）と、自機位置を検知するためのＧＰＳ受信器（１５）とが配備されている。
【００１２】
図２は、上記携帯電話機の電気的構成を表わしている。図示の如くデュープレクサ（５）に対して並列に受信回路（６）及び送信回路（７）が接続されており、アンテナ（１１）によって受信された信号は、デュープレクサ（５）を経て受信回路（６）に供給され、受話信号が復調される。該受話信号は、制御回路（８）を経てスピーカ（１０）に供給されて放音される。又、マイクロフォン（９）に入力された送話信号は、制御回路（８）を経て送信回路（７）に供給され、変調を受ける。変調を受けた送話信号は、デュープレクサ（５）を経てアンテナ（１１）から送信される。
制御回路（８）には、上記の開閉検知器（４）、複数の操作キー（１２）、ディスプレイ（２１）、温度センサー（１４）及びＧＰＳ受信器（１５）が接続されると共に、電話番号等が登録されるメモリ（１３）や、着信を報知するためのバイブレータ（１６）が接続されている。
【００１３】
上記携帯電話機においては、温度センサー（１４）による測定温度に基づいて紛失の発生が検知され、ＧＰＳ受信器（１５）の測位機能によって紛失地点がユーザに通知される。
【００１４】
図３は、温度測定による紛失発生の検知と測位機能による紛失地点の通知のために、制御回路（８）が一定周期で繰り返し実行する手続きを表わしている。
先ずステップＳ１にて、温度センサー（１４）によって周囲温度を測定した後、ステップＳ２では、測定温度が予め設置されている温度よりも低いかどうかを判断する。ここで、測定温度が高くてノーと判断されたときは、ステップＳ１に戻って温度測定を繰り返す。
【００１５】
測定温度が設定温度よりも低くてステップＳ２にてイエスと判断されたときは、ステップＳ３へ移行して、タイマーをスタートさせる。続いて、ステップＳ４にて周囲温度を測定した後、ステップＳ５では、測定温度が前記設置温度よりも低いかどうかを判断する。ここで、測定温度が高くてノーと判断されたときは、ステップＳ７に移行して、タイマーをストップさせた後、ステップＳ１に戻って温度測定を繰り返す。
【００１６】
一方、測定温度が設定温度よりも低くてステップＳ５にてイエスと判断されたときは、ステップＳ６へ移行して、タイマーの時間値が予め設定されている時間よりも長いかどうかを判断する。ここでノーと判断されたときはステップＳ４に戻って温度測定を繰り返す。
その後、測定温度が設定温度を上回ってステップＳ５にてノーと判断されたときは、ステップＳ７に移行して、タイマーをストップさせた後、ステップＳ１に戻って温度測定を繰り返す。
【００１７】
タイマーの時間値が設定時間を越えてステップＳ６にてイエスと判断されたときは、ステップＳ８に移行して、温度低下が紛失によるものか、或いは故意の放置などによるものかを確認するため、スピーカ（１０）を一定時間だけ鳴動させる。次にステップＳ９では、所定のキー操作によるユーザからの応答があったかどうかを判断し、ここで応答有と判断されたときは、ステップＳ７に移行して、タイマーをストップさせた後、ステップＳ１に戻って温度測定を繰り返す。
【００１８】
これに対し、ステップＳ９にて応答無と判断されたときは、ステップＳ１０に移行して、マナーモードを解除し、ＧＰＳ受信器によって検知された自機位置の座標を、電子メールとして所定の外部機器、例えば自宅のパーソナルコンピュータへ送信し、更にバイブレータによる着信報知設定をオフとする。又、着信時の呼び出し音量を最大に設定する。
【００１９】
上記本発明の携帯電話機によれば、測定温度が低下した場合、これが紛失によるものかどうかを、スピーカの鳴動によってユーザ自身に確認するので、紛失の判定は正確に行なわれる。
又、紛失の発生時には、従来より装備されているＧＰＳ受信器を利用して、自機位置を表わす座標データが所定の外部機器へ送信されて、ユーザに通知されるので、ユーザは、その座標データの表示に基づいて、携帯電話機の紛失地点に容易にたどり着くことが出来る。
【００２０】
又、携帯電話機の紛失時には、マナーモードが強制的に解除されるので、ユーザが、前記座標データの表示に従って携帯電話機の紛失地点の近くまで到達した後、他の電話機から紛失した携帯電話機に電話をかけることによって、着信音を発生させることが出来、これによって容易に携帯電話機を発見することが出来る。
【００２１】
更に、携帯電話機の紛失時には、バイブレータの着信報知設定が強制的にオフとされるので、紛失中に他の電話機から電話がかかってきたときにも、バイブレータの動作による電力の浪費が防止される。従って、携帯電話機を紛失したユーザがその携帯電話機に電話をかけたときに、電力不足で着信音を発生させることが出来なくなる事態を回避することが出来る。
この様にして、携帯電話機を紛失したユーザは、容易且つ確実にその携帯電話機を探し出すことが出来る。
【図面の簡単な説明】
【図１】本発明に係る携帯電話機の斜視図である。
【図２】該携帯電話機の構成を示すブロック図である。
【図３】紛失発生の検知と紛失地点の通知のために制御回路が実行する制御手続きを表わすフローチャートである。
【符号の説明】
（１）　本体
（２）　蓋体
（３）　ヒンジ機構
（１２）　操作キー
（２１）　ディスプレイ
（８）　制御回路
（１４）　温度センサー
（１５）　ＧＰＳ受信器
（１６）　バイブレータ
【図１】
2004032490.tif 000003
【図２】
2004032490.tif 000004
【図３】
2004032490.tif 000005